(57)【特許請求の範囲】
【請求項１】
画素領域と駆動回路を含む液晶表示装置において、前記画素領域からそれぞれ伸張された少なくとも二つの電極リンクと；前記駆動回路と前記電極リンクの間に接続される少なくとも二つのパッド部とを有して構成され、
前記パッド部は、前記電極リンクに接続された電極パッドと、前記電極パッドと前記駆動回路の間に接続された透明電極とを有し、
前記電極リンクの長さが長いほど、当該電極リンクに接続される前記電極パッドの長さが長くなることを特徴とする等抵抗配線液晶表示装置。
【請求項２】
画素領域と駆動回路を含む液晶表示装置において、前記画素領域からそれぞれ伸張された少なくとも二つの電極リンクと；前記駆動回路と前記電極リンクの間に接続される少なくとも二つのパッド部とを有して構成され、
前記パッド部は、前記電極リンクに接続された電極パッドと、前記電極パッドと前記駆動回路の間に接続された透明電極とを有し、
前記電極リンクの長さが長いほど、当該電極リンクに接続される前記電極パッドの幅が大きくなることを特徴とする等抵抗配線液晶表示装置。
【請求項３】
画素領域と駆動回路を含む液晶表示装置において、前記画素領域からそれぞれ伸張された少なくとも二つの電極リンクと；前記駆動回路と前記電極リンクの間に接続される少なくとも二つのパッド部とを有して構成され、
前記パッド部は、前記電極リンクに接続された電極パッドと、前記電極パッドと前記駆動回路の間に接続された透明電極とを有し、
前記電極リンクの長さが長いほど、当該電極リンクに接続される前記透明電極の長さが長くなることを特徴とする等抵抗配線液晶表示装置。
【請求項４】
画素領域と駆動回路を含む液晶表示装置において、前記画素領域からそれぞれ伸張された少なくとも二つの電極リンクと；前記駆動回路と前記電極リンクの間に接続される少なくとも二つのパッド部とを有して構成され、
前記パッド部は、前記電極リンクに接続された電極パッドと、前記電極パッドと前記駆動回路の間に接続された透明電極とを有し、
前記電極リンクの長さが長いほど、当該電極リンクに接続される前記透明電極の幅が大きくなることを特徴とする等抵抗配線液晶表示装置。
【請求項５】
画素領域と駆動回路を含む液晶表示装置において、前記画素領域からそれぞれ伸張された少なくとも二つの電極リンクと；前記駆動回路と前記電極リンクの間に接続される少なくとも二つのパッド部とを有して構成され、
前記パッド部は、前記電極リンクに接続された電極パッドと、前記電極パッドと前記駆動回路の間に接続された透明電極とを有し、
前記電極リンクの長さが長いほど、当該電極リンクに接続される前記電極パッドの比抵抗値が小さくなることを特徴とする等抵抗配線液晶表示装置。
【請求項６】
画素領域と駆動回路を含む液晶表示装置において、前記画素領域からそれぞれ伸張された少なくとも二つの電極リンクと；前記駆動回路と前記電極リンクの間に接続される少なくとも二つのパッド部とを有して構成され、
前記パッド部は、前記電極リンクに接続された電極パッドと、前記電極パッドと前記駆動回路の間に接続された透明電極とを有し、
前記電極リンクの長さが長いほど、当該電極リンクに接続される前記透明電極の比抵抗値が小さくなることを特徴とする等抵抗配線液晶表示装置。
【発明の詳細な説明】
【０００１】
【発明の属する技術分野】
本発明は液晶表示装置に関し、特に電極リンクの長さによる抵抗差を補償することができる液晶表示装置に関することである。
【０００２】
【従来の技術】
通常の液晶表示装置は電界を利用して液晶の光透過率を調節することで画像を表示する。このために、液晶表示装置は液晶セルがマトリックス状に配列された液晶パネルとこの液晶パネルを駆動するための駆動回路とを具備する。
【０００３】
液晶パネルにはゲートラインとデータラインが交差方向に配列されてそのゲートラインとデータラインの交差位置に設けられた領域に液晶セルが位置する。この液晶パネルには液晶セルそれぞれに電界を印加するための画素電極と共通電極が設けられる。画素電極それぞれはスイッチング素子である薄膜トランジスタのソース及びドレーン端子を経由してデータラインの中のいずれか一つに接続される。薄膜トランジスタのゲート端子は画素電圧信号が１ライン毎の画素電極に印加されるように、ゲートラインの内のいずれか一つに接続される。
【０００４】
駆動回路はゲートラインを駆動するためのゲートドライバと、データラインを駆動するためのデータドライバと、共通電極を駆動するための共通電圧の発生部とを具備する。ゲートドライバはスキャンニング信号、即ち、ゲート信号をゲートラインに順次供給して液晶パネル上の液晶セルを１ライン分ずつ順次駆動する。データドライバはゲートラインの中のいずれか一つにゲート信号が供給される毎にデータラインそれぞれにデータ電圧信号を供給する。共通電圧の発生部は共通電極に共通電圧信号を供給する。これに基づいて、液晶表示装置は液晶セル毎にデータ電圧信号に基づいて画素電極と共通電極の間に印加される電界によって光透過率を調節することで画像を表示する。
【０００５】
駆動回路は、通常チップ状に製作されたタブ（ＴＡＢ：Tape  Automated  Bonding）方式の場合、ＴＣＰ（Tape  Carrier  Package）に載せられて、そのＴＣＰと液晶パネルに設けられた電極パッドを通して画素領域に配置された該当の信号ラインと電気的に接続されて駆動信号を供給する。電極パッドは電極リンクを通して画素領域の該当の信号ラインと電気的に接続される。
【０００６】
このような液晶表示装置では高解像図の画像を提供するために画素数が増加したために、配線の幅及び間隔が微細になっている。共に、６インチ以下の小型の液晶表示装置が採択される携帯端末機では小型のために駆動回路の集積度が高くなることに基づいて電極パッド間の間隔が著しく減少している。これに基づいて、電極パッドと画素領域の該当の信号ラインの間に接続される電極リンクは、図１に図示したように、位置によって長さが異なっている。この結果、電極リンクは長さの差に起因して抵抗値に差を生じている。
【０００７】
図１は、一般的な液晶表示装置のゲートパッド−リンク部分に対する電極配置図が図示するものである。ゲート駆動回路（図示されない）と接続されるゲートパッド部（１２）は図１に図示されたように基板（１０）の縁領域に形成される。ゲートパッド（１２）はゲート駆動回路からの駆動信号をゲートリンク（ＧＫ）を通して画素領域（１４）に配置されたゲートライン（ＧＬ）に供給する。
【０００８】
ゲートパッド（１２）は、詳細には図２及び図３に図示した構造を有する。ゲートパッド（１２）は基板（２６）の上に形成されたゲートパターン（１６）と、ゲートパターン（１６）が形成された基板（２６）の上に積層されてゲートパターン（１６）の中のパッド領域が露出されるようにホールが形成されたゲート絶縁膜（２２）及び保護膜（２４）と、露出されたゲートパターン（１６）に接触されるように塗布された透明電極パターン（１８）とを具備する。透明電極パターン（１８）はゲート駆動回路を搭載したＴＣＰに設けられたパッド部と図２に図示されたような接触部（２０）を通して接触される。
【０００９】
ゲートリンク（ＧＫ）は相対的に狭い間隔を有するゲートパターン（１２）と相対的に広い間隔を有するゲートライン（ＧＬ）を接続するために、図１に図示したように、位置によって長さが異なる反面、同一の幅及び厚さを有する。これによって、ゲートリンク（ＧＫ）の抵抗はその長さの差に基づいて微細であるが差を有する。特に、ゲートリンク（ＧＫ）の長さが短い部分（Ａ）と長さが長い部分（Ｂ）間の抵抗差は大きい。このように、各ゲートリンク（ＧＫ）が長さに依存する抵抗値を有するために、画素領域（１４）のゲートライン（ＧＬ）に印加されるゲート信号に歪みを生じて画質の低下を生じる問題点がある。
【００１０】
このような配線の長さによる抵抗差はデータ駆動回路に接続されるデータパッドと画素領域（１４）のデータラインの間に接続されるデータリンクでも同様に発生する。データリンクの長さによる抵抗差によっても画素領域（１４）のデータラインに印加されるデータ信号が歪みを受けて画質を低下させる問題点がある。
【００１１】
【発明が解決しようとする課題】
従って、本発明の目的は電極リンクの長さによる抵抗差を補償して等抵抗化した液晶表示装置を提供することである。
【００１２】
【課題を解決するための手段】
前記の目的を達成するために、本発明の一つの特徴による等抵抗配線液晶表示装置は画素領域と駆動回路を含む液晶表示装置において、前記画素領域からそれぞれ伸張された３つ以上の電極リンクと；前記駆動回路と前記電極リンクの間に接続されるとともに、大きさが前記電極リンクの長さに基づいて決定された少なくとも二つのパッド部とを具備する。
【００１３】
本発明の他の異なる特徴による等抵抗配線液晶表示装置は、伸張された少なくとも二つの電極リンクと；前記駆動回路と前記電極リンクの間に接続されて前記電極リンクの長さに基づいて異なる比抵抗値を有する少なくとも二つのパッド部とを具備する。
【００１４】
本発明の異なる特徴による等抵抗配線液晶表示装置は画素領域と駆動回路を含む液晶表示装置において、前記画素領域からそれぞれ伸張された互いに長さの異なる少なくとも２つの電極リンクと；前記駆動回路と前記電極リンクの間に接続された少なくとも二つのパッド部とを具備して、前記電極リンクは相互に異なる比抵抗値を有する。
【００１５】
本発明の他の異なる特徴による等抵抗配線液晶表示装置は画素領域と駆動回路を含む液晶表示装置において、前記画素領域からそれぞれ伸張された長さの異なる少なくとも２つの電極リンクと；前記駆動回路と前記電極リンクの間に接続された少なくとも２つのパッド部とを具備して、前記電極リンクの幅は相互に異なる。
【００１６】
本発明の他の異なる特徴による等抵抗配線液晶表示装置は画素領域と駆動回路を含む液晶表示装置において、前記画素領域からそれぞれ伸張された長さの異なる少なくとも２つの電極リンクと；前記駆動回路と前記電極リンクの間に接続された少なくとも２つのパッド部と；前記電極リンクに設けられた長さに基づく抵抗値を補償するための少なくとも２つの補償パターンとを具備する。
【００１７】
【作用】
本発明による液晶表示装置では、パッド部に含まれる電極パッドまたは透明電極の大きさまたは比抵抗値を異なるようにして電極リンクの長さによる抵抗差を補償することで電極パッド−リンクを等抵抗化する。
【００１８】
また、本発明による液晶表示装置では、電極リンクの大きさ（幅及び/または厚さ）を異なるようにして電極リンクの長さによる抵抗差を補償することで電極パッド−リンクを等抵抗化する。
【００１９】
また、本発明による液晶表示装置では、電極リンクの大きさを異なるようにするか電極リンクに互いに異なる大きさ、個数または比抵抗値を有する補償パターンを接続させ電極リンクの長さによる抵抗差を補償することで電極パッド−リンクを等抵抗化する。
【００２０】
このように、等抵抗化された電極パッド−リンクによって対応する信号ラインでは同一の初期バイアス電圧が印加されるので従来の電極リンクの抵抗差によって生じていた信号の歪による画質の低下を防止することができる。
【００２１】
【発明の実施の形態】
前記目的以外の本発明の他の目的及び利点は添付した図面を参照した本発明の好ましい実施例に対する説明を通して明らかにする。
【００２２】
図４（上）と図４（下）は、データパッド部またはゲートパッド部で使用される本発明の第１の実施例によるパッド部（４０）を図示する。
【００２３】
図４（上）に図示したパッド部（４０）は、長さが相対的に長い電極リンク（２３）に接続される。図４（上）に図示されたように電極パッド（１６）に重畳されて接触する透明電極（２８）の長さは画素領域の方向に従来よりLpxl１ほど増大される。これは相対的に長い電極リンク（２３）にかかる相対的に高い抵抗値を補償するためである。即ち、パッド部（４０）で透明電極（２８）の長さを増大させ、相対的に長い電極リンク（２３）の高い抵抗値を減少させる。
【００２４】
図４（下）に図示されたパッド部（４０）は長さが相対的に短い電極リンク（２５）に接続される。図４（下）に図示されたように相対的に小さい抵抗値に対応して透明電極（３０）の長さが画素領域の方向に前記Lpxl１より小さいLpxl２ほど増大される。これは相対的に短い電極リンク（２５）にかかる抵抗値を補償するためである。
【００２５】
このような、電極リンク（２３、２５）の長さによる抵抗値を補償して信号配線を等抵抗化するためのパッド部（４０）、即ち透明電極（２８、３０）の追加の長さ（Lpxl１）は次の数式１によって決定される。
Lpxl１＝（Ravg×Tpxl×Wpxl）/p  pxl
ここで、Lpxl１は透明電極（２８、３０）の追加の長さ、Ravgはリンクの抵抗の平均値、Tpxlは透明電極（２８、３０）厚さ、Wpxlは透明電極（２８、３０）の幅、ｐは透明電極（２８、３０）の比抵抗値である。
【００２６】
上記の数式１によって各パッド部（４０）での透明電極（２８、３０）の追加の長さ（Lpxl１、Lpxl２）を決定して透明電極（２８、３０）を形成すれば、電極リンク（２３、２５）の長さによる抵抗差を補償して等抵抗化することができる。即ち、電極リンク（２３）の長さが相対的に長いために増大する抵抗値はパッド部（４０）での透明電極（２８）の長さを画素方向に増大させることで補償することができる。また、電極リンク（２５）の長さが相対的に短かいために減少する抵抗値はパッド部（４０）での透明電極（３０）の長さを画素方向に小さくすることで補償することができる。このように、長さが増大された透明電極（２８、３０）を具備するパッド部（４０）の断面構造を図３に図示する。透明電極（２８、３０）は駆動回路を搭載したＴＣＰに設けたパッド部（図示しない）と図４（上）及び図４（下）に図示されたような接触部（２０）を通して接触する。
【００２７】
このような電極リンク（２３、２５）の長さによる抵抗差を補償するための電極パッド部（４０）の構造はデータ駆動回路に接続されるデータパッド部とゲート駆動回路に接続されるゲートパッド部に同様に適用される。
【００２８】
図５（上）と図５（下）は本発明の第２実施例によるパッド部（５０）を図示するものである。
【００２９】
図５（上）に図示したパッド部（５０）は、長さが相対的に長い電極リンク（５３）に接続される。図５（上）に図示されたパッド部（５０）では透明電極（５６）に接続される電極パッド（５２）の長さが画素領域の方向に従来よりLpad１ほど増大されている。このような電極パッド（５２）は相対的に長い電極リンク（５３）にかかる相対的に高い抵抗値を補償して高い抵抗値が低減する。透明電極（５６）は駆動回路を搭載したＴＣＰに設けられたパッド部（図示しない）と接触部（２４）を通して接触される。
【００３０】
図５（下）に図示したパッド部（５０）は、長さが相対的に短い電極リンク（５５）に接続される。図５（下）に図示されたパッド部（５０）では相対的に小さい抵抗値に対応して電極パッド（５８）の長さが画素領域の方向に前記Lpad１より小さいLpad２ほど増大される。このような電極パッド（５８）は相対的に短い電極リンク（５５）にかかる抵抗値を補償する。透明電極（５６）は駆動回路を搭載したＴＣＰに設けられたパッド部（図示しない）と接触部（２４）を通して接触される。
【００３１】
ここで、電極パッド（５２、５８）の追加の長さ（Lpad）は各電極リンク（５３、５５）の抵抗差に応じて異なるように設定する。このように電極パッド（５２、５８）の長さを異なるように設定して電極リンク（５３、５５）の長さによる抵抗差を補償することで信号配線を等抵抗化することができる。
【００３２】
図６（上）及び図６（下）は本発明の第３実施例によるパッド部（６０）を図示する。
【００３３】
図６（上）に図示されたパッド部（６０）は長さが相対的に長い電極リンク（６３）に接続される。図６（上）に図示されたパッド部（６０）では電極パッド（６２）と接触される透明電極（６６）の幅が従来よりWpxl１ほど増大されている。このような透明電極（６６）は相対的に長い電極リンク（６３）にかかる相対的に高い抵抗値を補償して高い抵抗値が低減する。この透明電極（６６）は駆動回路を搭載したＴＣＰに設けられたパッド部（図示しない）と接触部（６４）を通して接触される。
【００３４】
図６（下）に図示したパッド部（６０）は長さが相対的に短い電極リンク（６５）に接続される。図６（下）に図示されたパッド部（６０）では相対的に小さい抵抗値に対応して透明電極（６８）の幅が前記Wpxl１より小さいWpxl２だけ増大される。このような透明電極（６８）は相対的に短い電極リンク（６５）にかかる抵抗値を補償する。この透明電極（６８）は駆動回路を搭載したＴＣＰに設けられたパッド部（図示しない）と接触部（６４）を通して接触する。
【００３５】
ここで、透明電極（６６、６８）の追加の幅（Wpxl）は各電極リンク（６３、６５）の抵抗差に応じて異なるように設定する。このように透明電極（６６、６８）の長さを異なるように設定して電極リンク（６３、６５）の長さによる抵抗差を補償することで信号の配線を等抵抗化することができる。
【００３６】
図７（上）及び図７（下）は本発明の第４実施例によるパッド部（７０）を図示する。
【００３７】
図７（上）に図示されたパッド部（７０）は、長さが相対的に長い電極リンク（７３）に接続される。図７（上）に図示されたパッド部（７０）では透明電極（７６）と接触する電極パッド（７２）の幅が従来より増大されてWpad１に設定される。このような電極パッド（７２）は相対的に長い電極リンク（７３）にかかる相対的に高い抵抗値を補償して高い抵抗値を低減する。透明電極（７６）は駆動回路を搭載したＴＣＰに設けられたパッド部（図示しない）と接触部（７４）を通して接触される。
【００３８】
図７（下）に図示されたパッド部（７０）は長さが相対的に短い電極リンク（７５）に接続される。図７（下）に図示されたパッド部（７０）では相対的に小さい抵抗値に対応して電極パッド（７８）の幅が前記Wpad１より小さいWpad２に設定される。透明電極（７６）は駆動回路を搭載したＴＣＰに設けられたパッド部（図示しない）と接触部（７４）を通して接触される。
【００３９】
ここで、電極パッド（７２、７８）の幅（Wpad）は各電極リンク（７３、７５）の抵抗差に応じて異なるように設定する。このように電極パッド（７２、７８）の長さを異なるように設定して電極リンク（７３、７５）の長さによる抵抗差を補償することで信号の配線を等抵抗化することができる。
【００４０】
図８（上）及び図８（下）は本発明の第５実施例によるパッド部（８０）を図示する。
【００４１】
図８（上）に図示されたパッド部（８０）は長さが相対的に長い電極リンク（８３）に接続される。図８（上）に図示されたパッド部（８０）では電極パッド（８２）は相対的に小さい比抵抗値（ρ１）を有する導電物質である。この比抵抗値（ρ１）を有する電極パッド（８２）は相対的に長い電極リンク（８３）の長さによる高い抵抗値を補償して高い抵抗値を低減する。透明電極（８６）は駆動回路を搭載したＴＣＰに設けられたパッド部（図示しない）と接触部（８４）を通して接触される。これとは異なり、前記透明電極（８６）の物質で比抵抗値（ρ１）が相対的に小さい透明電極物質を使用する場合にも前記のように長い電極リンク（８３）の長さによる高い抵抗値を補償することができる。
【００４２】
図８（下）に図示されたパッド部（８０）は長さが相対的に短い電極リンク（８５）に接続される。図８（下）に図示されたパッド部（８０）で電極パッド（８８）は前記比抵抗値（ρ１）より大きい比抵抗値（ρ２）を有する導電物質である。この比抵抗値（ρ２）を有する電極パッド（８８）は相対的に短い電極リンク（８５）の長さによる低い抵抗値を補償する。透明電極（８６）は駆動回路を搭載したＴＣＰに設けられたパッド部（図示しない）と接触部（８４）を通して接触される。これとは異なり、前記透明電極（８６）の物質で比抵抗値（ρ２）が相対的に大きい透明電極物質を使用する場合にも前記のように短い電極リンク（８５）の長さによる小さい抵抗値を補償することができる。
【００４３】
ここで、比抵抗値（ρ１、ρ２）は各電極リンク（８３、８５）の抵抗値に応じて異なるように設定する。このように、パッド部（８０）の電極パッド（８２、８８）または透明電極（８６）の比抵抗値（ρ１、ρ２）を双方異なるように設定して電極リンク（８３、８５）の長さによる抵抗差を補償することで信号の配線を等抵抗化することができる。
【００４４】
図９（上）及び図９（下）は本発明の実施例による電極リンク（９３、９５）を図示する。
【００４５】
図９（上）に図示された電極リンク（９３）は長さが相対的に長い電極リンクを介してパッド部（９０）に接続される。この電極リンク（９３）はその幅が従来より増大されてWlink１に設定される。このような電極リンク（９３）は相対的に長い長さによる高い抵抗値を補償して高い抵抗値を減らすようにする。パッド部（９０）は電極リンク（９３）から伸張された電極パッド（９２）と、図示しない絶縁膜のコンタクトホールを通して電極パッド（９２）と接触された透明電極（９６）で構成される。透明電極（９６）は駆動回路を搭載したＴＣＰに設けられたパッド部（図示しない）と接触部（９４）を通して接触される。
【００４６】
図９（下）に図示された電極リンク（９５）は長さが相対的に長い電極リンクに該当されてパッド部（９０）に接続される。この電極リンク（９５）は相対的に低い抵抗値に対応してその幅が前記Wlink１より小さいWlink２で設定される。この電極リンク（９５）の幅（Wlink２）を調節して相対的に短い長さを有する電極リンク（９５）の抵抗を補償して減少することができる。
【００４７】
このように、電極リンク（９３、９５）の幅を異なるように設定してその電極リンク（９３、９５）の長さによる抵抗差を補償することで信号の配線を等抵抗化することができる。
【００４８】
図１０（上）及び図１０（下）は本発明の異なる実施例によるリンク部（１０１）を図示する。パッド部（１００）は駆動回路を搭載したＴＣＰに設けられたパッド部（図示しない）と接触部（１０４）を通して接触される透明電極（１０６）を含む。リンク部（１０１）はパッド部（１００）の電極パッド（１０２）と接続される電極リンク（１０３、１０５）と、電極リンク（１０３、１０５）にそれぞれ形成された補償パターン（１０７、１０９）を含む。
【００４９】
図１０（上）に図示されたリンク部（１０１）は長さが相対的に長い電極リンク（１０３）を含む。電極リンク（１０３）にはその長さによる抵抗差を補償するための補償パターン（１０７）が接続される。この補償パターン（１０７）の長さは図１０（上）に図示されたように相対的に長く設定される。これによって、補償パターン（１０７）は相対的に長い電極リンク（１０３）の長さによる高い抵抗値を補償して高い抵抗値を低減する。
【００５０】
図１０（下）に図示されたリンク部（１０１）はパット部（１００）に接続されて長さが相対的に短い電極リンク（１０５）を含む。この電極リンク（１０５）にはその長さによる抵抗差を補償するための補償パターン（１０９）が接続される。この補償パターン（１０９）の長さは図１０（下）に図示されたように相対的に短く設定される。このような補償パターン（１０９）は相対的に短い電極リンク（１０５）の長さによる低い抵抗値を補償する。
【００５１】
このように、電極リンク（１０３、１０５）の長さに基づいて補償パターン（１０７、１０９）を形成すると、その電極リンク（１０３、１０５）の長さによる抵抗差を補償することで信号の配線を等抵抗化することができる。長い電極リンク（１０３）の大きい抵抗値は相対的に長い長さを有する補償パターン（１０７）によって補償することができる。反面に、短い電極リンク（１０５）の小さい抵抗値は相対的に短い長さを有する補償パターン（１０９）によって補償することができる。
【００５２】
補償パターン（１０７、１０９）の厚さまたは幅を各電極リンク（１０３、１０５）の長さに基づいて異なるように設定することができる。このように、電極リンク（１０３、１０５）に接続される補償パターン（１０７、１０９）の厚さまたは幅を異なるように設定してその電極リンク（１０３、１０５）の長さによる抵抗差を補償することで信号の配線を等抵抗化することができる。
【００５３】
また、補償パターン（１０７、１０９）の個数を各電極リンク（１０３、１０５）の長さに基づいて異なるように設定することができる。このように、電極リンク（１０３、１０５）に接続される補償パターン（１０７、１０９）の個数を双方異なるように設定してその電極リンク（１０３、１０５）の長さによる抵抗差を補償することで信号の配線を等抵抗化することができる。
【００５４】
さらに、補償パターン（１０７、１０９）の比抵抗値を各電極リンク（１０３、１０５）の長さに基づいて異なるように設定することができる。このように、電極リンク（１０３、１０５）に接続される補償パターン（１０７、１０９）の材料も双方異なるように比抵抗値を有する導電物質を使用してその電極リンク（１０３、１０５）の長さによる抵抗差を補償することで信号の配線を等抵抗化することができる。
【００５５】
さらに、パッド部に含まれる電極パッド及び透明電極の中のいずれか一つの厚さを電極リンクの長さによって異なるように設定する場合にもその電極リンクの長さによる抵抗差を補償して信号配線を等抵抗化することができる。また、電極リンクの厚さをその長さによって異なるように設定する場合にも長さによる抵抗差を補償して信号配線を等抵抗化することができる。
【００５６】
【発明の効果】
上述したように、本発明による液晶表示装置ではパッド部に含まれる電極パッドまたは透明電極の大きさまたは比抵抗値を異なるようにして電極リンクの長さによる抵抗差を補償することで電極パッド−リンクを等抵抗化することができる。
【００５７】
また、本発明による液晶表示装置では電極リンクの大きさ（幅及び/または厚さ）を異なるようにして電極リンクの長さによる抵抗差を補償することで電極パッド−リンクを等抵抗化することができる。
【００５８】
また、本発明による液晶表示装置では電極リンクの大きさを異なるようにするか電極リンクに双方異なる大きさ、個数または比抵抗値を有する補償パターンを接続させ電極リンクの長さによる抵抗差を補償することで電極パッド−リンクを等抵抗化することができる。
【００５９】
このように、等抵抗化された電極パッド−リンクによって該当の信号ラインでは同一の初期バイアス電圧が印加されるので従来の電極リンクの抵抗差による信号歪曲による画質低下を防止することができる。
【００６０】
以上説明した内容を通して当業者であれば本発明の技術思想の範囲内で多様な変更及び修正が可能であることが分かる。従って、本発明の技術的な範囲は明細書の詳細な説明に記載された内容に限定されずに特許請求の範囲によって定めなければならない。
【図面の簡単な説明】
【図１】  図１は通常の液晶表示装置のゲートパッド−リンク部分を図示した平面図である。
【図２】  図２は図１に図示されたゲートパッドを拡大図示した平面図である。
【図３】  図３は図２に図示されたＡーＡ′線によるゲートパッドの断面図である。
【図４】  図４（上）及び図４（下）は本発明の第１実施例によるパッド部を図示した平面図である。
【図５】  図５（上）及び図５（下）は本発明の第２実施例によるパッド部を図示した平面図である。
【図６】  図６（上）及び図６（下）は本発明の第３実施例によるパッド部を図示した平面図である。
【図７】  図７（上）及び図７（下）は本発明の第４実施例によるパッド部を図示した平面図である。
【図８】  図８（上）及び図８（下）は本発明の第５実施例によるパッド部を図示した平面図である。
【図９】  図９（上）及び図９（下）は本発明の実施例による電極リンクを図示した平面図である。
【図１０】  図１０（上）及び図１０（下）は本発明の異なる実施例によるリンク部を図示した平面図である。
【符号の説明】
１０：下部基板
１２：ゲートパッド部
１４：画素領域
１６：ゲートパターン
１６、５２、５８、７２、７８、８２、８８、９２、１０２：電極パッド
１８：透明電極パターン
２０、６４、８４、１０４：接触部
２３、２５、５２、５３、５５、６３、７３、７５、７６、８３、９３、９５、１０５：電極リンク
２６：基板
２２：ゲート絶縁膜
２４：保護膜
２８、３０、５６、６６、６８、８６、９６：透明電極
４０、５０、６０、７０、９０、１００：パッド部
１０１：リンク部
１０７、１０９：補償パターン
【図１】
0004050017.tif 000002
【図２】
0004050017.tif 000003
【図３】
0004050017.tif 000004
【図４】
0004050017.tif 000005
0004050017.tif 000006
【図５】
0004050017.tif 000007
0004050017.tif 000008
【図６】
0004050017.tif 000009
0004050017.tif 000010
【図７】
0004050017.tif 000011
0004050017.tif 000012
【図８】
0004050017.tif 000013
0004050017.tif 000014
【図９】
0004050017.tif 000015
0004050017.tif 000016
【図１０】
0004050017.tif 000017
0004050017.tif 000018